(57)【特許請求の範囲】
【請求項１】
出力軸を有するモータと、
外周面に複数の図柄が表された筒状体からなるリール本体部と、リール本体部をモータの出力軸に対して同心に支持するためのリール支持部とで構成された樹脂製のリールと、
を備えた回胴式遊技機用リール装置であって、
モータの出力軸から外方に張り出した状態で当該出力軸に一体化された放熱板をさらに備え、
リール支持部を放熱板に対して局所的に固定して、リール支持部における放熱板に対して固定される箇所以外では、リールと放熱板とが接触しない構造とすることにより、モータで発生した熱がモータの出力軸からリール支持部に対して直接的に伝わらないようにしたことを特徴とする回胴式遊技機用リール装置。
【請求項２】
出力軸を有するモータと、
外周面に複数の図柄が表された筒状体からなるリール本体部と、リール本体部をモータの出力軸に対して同心に支持するためのリール支持部とで構成されたリールと、
を備えた回胴式遊技機用リール装置であって、
モータの出力軸から外方に張り出した状態で当該出力軸に一体化された放熱板をさらに備え、
リール支持部を放熱板に対して局所的に固定することにより、モータで発生した熱がモータの出力軸からリール支持部に対して直接的に伝わらないようにするとともに、
リール支持部が、
放熱板の縁部に対して局所的に固定される放熱板側固定部と、
放熱板側固定部をリール本体部に連結する複数本の連結棒状部と、
で構成され、
隣り合う連結棒状部の隙間が、リール本体部の内側に収容されたモータで発生した熱をリールの外部空間へ逃がすための放熱用開口部として機能するようにした
ことを特徴とする回胴式遊技機用リール装置。
【請求項３】
放熱板側固定部における放熱板に対して固定される箇所が、放熱板側固定部における連結棒状部と接続する部分近傍に設けられた請求項２記載の回胴式遊技機用リール装置。
【請求項４】
放熱板側固定部における放熱板に対して固定される箇所に一体化されたボス部材と、
軸部と当該軸部の基端側に設けられた拡径部とからなる固定部材と、
をさらに備え、
固定部材の軸部がボス部材に挿通された状態で、当該軸部の先端が放熱板の縁部に固定され、ボス部材が放熱板と固定部材の拡径部との間で挟持された状態とすることにより、放熱板側固定部を放熱板の縁部に対して局所的に固定するようにした
請求項２又は３記載の回胴式遊技機用リール装置。
【請求項５】
出力軸を有するモータと、
外周面に複数の図柄が表された筒状体からなるリール本体部と、リール本体部をモータの出力軸に対して同心に支持するためのリール支持部とで構成されたリールと、
を備えた回胴式遊技機用リール装置であって、
モータの出力軸から外方に張り出した状態で当該出力軸に一体化された放熱板をさらに備え、
リール支持部を放熱板に対して局所的に固定することにより、モータで発生した熱がモータの出力軸からリール支持部に対して直接的に伝わらないようにするとともに、
放熱板が、モータの出力軸と同心の円盤状に形成され、
放熱板の表面積を増大させるための凹凸が、放熱板に、モータの出力軸と同心な環状に形成された
ことを特徴とする回胴式遊技機用リール装置。
【請求項６】
放熱板が金属製とされ、リールが樹脂製とされた請求項１〜５いずれか１つに記載の回胴式遊技機用リール装置。
【請求項７】
回胴式遊技機の筺体に対してモータを固定するための非金属製のモータ固定部材をさらに備えた請求項１〜６いずれか１つに記載の回胴式遊技機用リール装置。
【請求項８】
請求項１〜７いずれか１つに記載の回胴式遊技機用リール装置を備えたことを特徴とする回胴式遊技機。
【発明の詳細な説明】
【技術分野】
【０００１】
本発明は、回胴式遊技機のリールを回転駆動するための回胴式遊技機用リール装置と、この回胴式遊技機用リール装置を備えた回胴式遊技機とに関する。
【背景技術】
【０００２】
一般的な回胴式遊技機では、メダルのクレジット枚数が所定枚数以上となった状態でスタートレバーが操作されると、その外周面に複数の図柄が表された複数本のリールが一斉に回転を開始し、複数のストップボタンがそれぞれ操作されると、操作されたストップボタンに対応するリールの回転が停止していき、全てのリールが停止したときにリール窓（遊技機筺体の前面に設けられたリールの図柄表示用の開口部）に表示される図柄の組み合わせが所定の役に対応したものとなっていた場合（入賞した場合）に、その役に応じた枚数のメダルが払い出されるようになっている。
【０００３】
この種の回胴式遊技機において、リールの回転は、リールごとに設けられたモータによって制御されるようになっており、それぞれのリールは、そのリールを回転駆動するためのモータとユニット化された構造となっていることが多い。また、モータの出力軸に対するリールの支持は、円筒状を為すリール本体部の内側にリール支持部を設け、このリール支持部をモータの出力軸に固定することにより行うことが一般的である。
【０００４】
ところが、従来の回胴式遊技機では、リール支持部が樹脂によって形成されていた（例えば、特許文献１における図４の閉塞壁３及び段落０００７の記載を参照。）ため、モータで発生した熱が出力軸を介してリール支持部に伝わり、リール支持部におけるモータの出力軸に接触する部分が溶融する虞があった。このため、従来の回胴式遊技機では、遊技を重ねるうちに、リールがガタつくようになる等の不具合が生じやすかった。
【０００５】
ところで、上で挙げた特許文献１の回胴式遊技機では、閉塞壁３（リール支持部）をモータ１６の出力軸に対して直接固定するのではなく、連結部材１５の大径円形フランジ１９を介して接続する構造を採用している。引用文献１では、連結部材１５を形成する素材の種類については明らかにされていないが、連結部材１５の形態や、同文献の図４等において図柄支持用回転体１（リール）と連結部材１５とに同じハッチングが使用されていること等から判断すると、図柄支持用回転体１（リール）と同様に、連結部材１５も樹脂の成形品であると理解することが自然である。このため、特許文献１の回胴式遊技機でも、モータ１６で発生した熱によって連結部材１５におけるモータ１６の出力軸との接触部分が溶融してしまい、図柄支持用回転体１（リール）がガタつく等の不具合が生じる虞がある。
【０００６】
モータの熱に起因するリールのガタツキ等の不具合を解消するためには、リールや、リールをモータの出力軸に連結する部材等の全てを、放熱性の良い金属等の素材で形成する方法が考えられる。しかし、この場合には、リール等の回転部分の重量が嵩んでしまい、リールを回転駆動するモータとして大きな駆動力をもつものを選択しなければならなくなる等、別の問題が生じてしまう。
【先行技術文献】
【特許文献】
【０００７】
【特許文献１】特開２００４−３０５６１５号公報
【発明の概要】
【発明が解決しようとする課題】
【０００８】
本発明は、上記課題を解決するために為されたものであり、リールの重量を増大させることなく、モータで発生した熱に起因するリールのガタツキ等の不具合を解消することができる回胴式遊技機用リール装置を提供するものである。また、この回胴式遊技機用リール装置を備えた回胴式遊技機を提供することも本発明の目的である。
【課題を解決するための手段】
【０００９】
上記課題は、
出力軸を有するモータと、
外周面に複数の図柄が表された筒状体からなるリール本体部と、リール本体部をモータの出力軸に対して同心に支持するためのリール支持部とで構成されたリールと、
を備えた回胴式遊技機用リール装置であって、
モータの出力軸から外方に張り出した状態で当該出力軸に一体化された放熱板をさらに備え、
リール支持部を放熱板に対して局所的に固定することにより、モータで発生した熱がモータの出力軸からリール支持部に対して直接的に伝わらないようにしたことを特徴とする回胴式遊技機用リール装置
を提供することによって解決される。
【００１０】
このように、リール支持部を、放熱板を介してモータの出力軸に固定することにより、モータで発生してその出力軸に伝わった熱を放熱板で逃がし、モータの出力軸からリール支持部に熱が高温な状態で伝わらないようにすることが可能になる。このため、リールを樹脂製としても、リール支持部における放熱板に対して固定される箇所が溶融しないようにすることが可能になる。したがって、リールの重量を抑えながらも、モータで発生した熱に起因するリールのガタツキ等の不具合を解消することが可能になる。リール支持部は、放熱板に対して１箇所のみで固定されるようにしてもよいが、複数箇所で固定されるようにすると好ましい。これにより、リール支持部を放熱板に対して強固かつ安定して固定することが可能になる。
【００１１】
ここで、「放熱板」とは、金属で形成された板状部材のことをいう。放熱板を形成する金属の熱伝導率は、特に限定されないが、高い方が好ましい。ある素材の熱伝導率は、その素材の放熱性と正の相関関係を有しているからである。このため、放熱板は、熱伝導率（室温付近での熱伝導率。以下同じ。）が１０Ｗ・ｍ−１−・Ｋ−１以上の金属で形成すると好ましい。熱伝導率が１０Ｗ・ｍ−１−・Ｋ−１以上の金属としては、ステンレス鋼（１５〜２０Ｗ・ｍ−１−・Ｋ−１程度）や、それ以外の鉄鋼（２０〜５０Ｗ・ｍ−１−・Ｋ−１程度）や、鉄（８４Ｗ・ｍ−１−・Ｋ−１）や、アルミニウム（２３６Ｗ・ｍ−１−・Ｋ−１）や、銅（３９８Ｗ・ｍ−１−・Ｋ−１）等が例示される。
【００１２】
また、放熱板の面積は、リール本体部の断面積等によっても異なり、特に限定されないが、広くした方が放熱板の放熱性を高めることができる。このため、放熱板の面積（モータの出力軸に平行な方向から見たときの面積。以下同じ。）は、リール本体部の断面積（モータの出力軸に平行な方向から見たときの断面積。以下同じ。）をＳ１とし、放熱板の面積をＳ２としたときに、比Ｓ２／Ｓ１が０．１以上となるようにすると好ましい。比Ｓ２／Ｓ１は、０．１５以上であるとより好ましく、０．２以上であるとさらに好ましい。一方、比Ｓ２／Ｓ１を大きくしすぎる（１に近づけすぎる）と、リールの重量が増大することに加えて、後述する放熱用開口部の面積を確保することが困難になる。このため、比Ｓ２／Ｓ１は、０．９以下とすると好ましく、０．８以下とするとより好ましく、０．７以下とするとさらに好ましい。
【００１３】
放熱板の形態は、概ね板状であれば特に限定されない。放熱板の形態として最も単純な例を挙げると、連続面状の平坦な板状体がある。しかし、放熱板には、その表面積を増大させるための凹凸（例えば、凸条若しくは凹溝、又は、点状凸部若しくは点状凹部等）又は開口（ネジ孔等、ネジ等の他の部材により塞がれるものを除く。）を形成すると好ましい。これにより、放熱板における放熱効果をさらに高めることが可能になるだけでなく、放熱板を軽量化することも可能になる。放熱板に対する凹凸の設け方は、特に限定されないが、不規則に形成すると、リールが回転する際に凹凸の周辺で空気の流れが乱れ、リールの回転音が大きくなる虞がある。このため、凹凸は、モータの出力軸と同心の円盤状に形成された放熱板に対して、モータの出力軸と同心に環状に形成すると好ましい。一方、放熱板に対する開口の設け方も、特に限定されないが、例えば、多数の小孔を網目状に設けて、放熱板をメッシュ状にする方法等が例示される。放熱板をメッシュ状にすると、放熱板をさらに軽量化できるというメリットがある。
【００１４】
本発明の回胴式遊技機用リール装置において、放熱板に対するリール支持部の固定構造は、特に限定されない。しかし、リール支持部における放熱板に対して固定される箇所以外では、リールと放熱板とが接触しない構造とすると好ましい。このように、リール支持部を放熱板に固定するために最低限必要な箇所でのみ、リールと放熱板とが接触するようにすることにより、放熱板の熱がリールにさらに伝わりにくくすることが可能になる。この場合、リール支持部における放熱板に対して固定される箇所以外では、放熱板だけでなく、モータやその出力軸も、モータに接触しないようにする。
【００１５】
本発明の回胴式遊技機用リール装置において、リール支持部は、リール本体部の内側の空洞を完全に塞ぐ形態のものとしてもよい。しかし、この場合には、リール本体部の内側に収容されたモータで発生した熱がリールの外部空間へ逃げにくくなって、リール本体部の内部空間が高温になり、モータの故障等の不具合が発生しやすくなる虞がある。このため、リール支持部には、リール本体部の内側に収容されたモータで発生した熱をリールの外部空間へ逃がすための放熱用開口部を形成すると好ましい。例えば、リール支持部を、放熱板の縁部に対して局所的に固定される放熱板側固定部と、放熱板側固定部をリール本体部に連結する複数本の連結棒状部とで構成し、隣り合う連結棒状部の隙間を放熱用開口部として機能させると好ましい。
【００１６】
上記のように、リール支持部を、放熱板側固定部と複数本の連結棒状部とで構成する場合には、放熱板側固定部における放熱板に対して固定される箇所（放熱板側固定部が放熱板に対して複数箇所で固定される場合には、当該複数箇所のうち少なくとも一部の箇所）を、放熱板側固定部における連結棒状部と接続する部分近傍（以下、「連結棒状部接続領域」と呼ぶことがある。）に設けると好ましい。というのも、放熱板側固定部における連結棒状部接続領域は、その近傍に連結棒状部が存在する分だけ、放熱板側固定部における他の領域よりも強度が高くなっているため、放熱板に対してより強固に固定することが可能になるからである。
【００１７】
また、上記のように、リール支持部を、放熱板側固定部と複数本の連結棒状部とで構成する場合には、回胴式遊技機用リール装置を、放熱板側固定部における放熱板に対して固定される箇所に一体化されたボス部材と、軸部と当該軸部の基端側に設けられた拡径部とからなる固定部材とをさらに備えたものとし、固定部材の軸部をボス部材に挿通して当該軸部の先端を放熱板の縁部に固定し、ボス部材が放熱板と固定部材の拡径部との間で挟持された状態とすることにより、放熱板側固定部を放熱板の縁部に対して局所的に固定するようにすると好ましい。ボス部材の素材は、特に限定されないが、金属とすると好ましい。これにより、放熱板に対して放熱板側固定部をより強固に固定することが可能になる。
【００１８】
ところで、本発明の回胴式遊技機用リール装置は、通常、回胴式遊技機の筺体に対してモータを固定するためのモータ固定部材を備えたものとされる。このモータ固定部材は、金属製としてもよいが、非金属製とすると好ましい。というのも、本発明の回胴式遊技機用リール装置においては、モータで発生した熱を、モータの出力軸に取り付けた放熱板から放熱することができるため、モータ固定部材を金属製としてモータ固定部材に放熱機能を付与しなくても、モータの周辺が高温にならないようにすることが可能だからである。また、モータ固定部材は、モータの出力軸に取り付けた放熱板よりも大きな寸法で設けられることが多いところ、このモータ固定部材を樹脂等の非金属（金属よりも軽量な素材）によって形成すれば、回胴式遊技機用リール装置の全体重量を抑えることも可能だからである。
【発明の効果】
【００１９】
以上のように、本発明によって、リールの重量を増大させることなく、モータで発生した熱に起因するリールのガタツキ等の不具合を解消することができる回胴式遊技機用リール装置を提供することが可能になる。また、この回胴式遊技機用リール装置を備えた回胴式遊技機を提供することも可能になる。
【図面の簡単な説明】
【００２０】
【図１】回胴式遊技機を前面側から見た正面図である。
【図２】図１の回胴式遊技機における前扉を開いた状態を示した斜視図である。
【図３】本発明に係る回胴式遊技機用リール装置を分解した状態を示した斜視図である。
【図４】本発明に係る回胴式遊技機用リール装置を組み立てた状態を示した斜視図である。
【図５】本発明に係る回動式遊技機用リール装置における放熱板の周辺をモータの出力軸の中心を通る平面α（図４を参照）で切断した断面をｙ軸方向負側から見た状態を示した拡大断面図である。
【発明を実施するための形態】
【００２１】
本発明の回胴式遊技機用リール装置及び回動式遊技機について、図面を用いてより具体的に説明する。
【００２２】
１．回胴式遊技機
図１は、回胴式遊技機１０を前面側から見た正面図である。回胴式遊技機１０は、図１に示すように、メダルを投入するためのメダル投入口１１と、メダルを払い出すためのメダル払出口１２と、その外周面に図柄が描かれた３本のリール１３，１４，１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、演出を切り替えるためのチャンスボタン２４と、クレジットされたメダルを払い戻すための払戻しボタン２５等を有するものとなっている。
【００２３】
回胴式遊技機１０では、メダルのクレジット枚数が所定枚数以上となった状態でスタートレバー２０が操作されると、役抽選が実行されるとともにリール１３，１４，１５が一斉に回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ａの有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、筺体内のホッパーユニット３６（図２を参照）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２４】
図２は、図１の回胴式遊技機１０における前扉を開いた状態を示した斜視図である。回胴式遊技機１０の筺体内には、図２に示すように、メイン制御基板ユニット３０、サブ制御基板ユニット３１、液晶ユニット３２、電源ユニット３３、コネクタユニット３４、リールユニット３５及びホッパーユニット３６等の各種機器が納められている。メイン制御基板ユニット３０は、役抽選や入賞判定等、遊技における基本的な制御を行うメイン制御基板が格納されたユニットである。サブ制御基板ユニット３１は、発光ランプや音声による演出等、遊技における演出に関する制御を行うサブ制御基板が格納されたユニットである。液晶ユニット３２は、液晶ディスプレイ１６（図１を参照）に表示される映像による演出に関する制御を行う映像基板が格納されたユニットである。電源ユニット３３は、回胴式遊技機１０における各機器に電力を供給する電源基板が格納されたユニットである。コネクタユニット３４は、特定の機器に接続されたケーブルを仲介する仲介基板が格納されたユニットである。リールユニット３５は、リール１３，１４，１５の回転をそれぞれ独立して制御することができる状態でリール１３，１４，１５を筺体内に固定するユニットである。ホッパーユニット３６は、メダル投入口１１（図１を参照）に投入されたメダルを回収するとともに、メイン制御ユニット３０からの信号に基づいてメダル払出口１２（図１を参照）へメダルを送出するユニットである。
【００２５】
以下で述べる本発明に係る回胴式遊技機用リール装置５０（図３を参照）は、リールユニット３５におけるリール１３，１４，１５のそれぞれに対応して設けられる。すなわち、本実施態様の回胴式遊技機１０においては、３本のリール１３，１４，１５が設けられているため、３台の回胴式遊技機用リール装置５０が設けられる。
【００２６】
２．回動式遊技機用リール装置
図３は、本発明に係る回胴式遊技機用リール装置５０を分解した状態を示した斜視図である。図４は、本発明に係る回胴式遊技機用リール装置５０を組み立てた状態を示した斜視図である。図５は、本発明に係る回動式遊技機用リール装置５０における放熱板５３の周辺をモータ５１の出力軸５１ａの中心を通る平面α（図４を参照）で切断した断面をｙ軸方向負側から見た状態を示した拡大断面図である。本実施態様の回胴式遊技機用リール装置５０は、図３に示すように、モータ５１と、リール５２と、放熱板５３と、モータ固定部材５４と、発光ユニット５５と、チャック機構５６とで構成されている。以下、回胴式遊技機用リール装置５０における各部について詳しく説明する。
【００２７】
２．１  モータ
モータ５１は、電気的エネルギーを力学的エネルギーに変換することにより、その出力軸５１ａを回転駆動するものとなっている。このモータ５１は、通常、リール本体部５２ａの内側に収容された状態に設けられる。モータ５１に用いるモータの種類は、特に限定されないが、通常、ステッピングモータが使用される。モータ５１の出力軸５１ａは、通常、金属製とされる。モータ５１は、図示省略の配線等を介して、図示省略のリール制御基板に接続され、このリール制御基板からの制御信号に基づいて、回転制御が行われるようになっている。
【００２８】
２．２  放熱板
放熱板５３は、図５に示すように、モータ５１の出力軸５１ａの先端部（モータ５１に接続される側とは反対側の端部）近傍から外方へ張り出して鍔状に設けられており、出力軸５１ａを介してモータ５１から伝わってきた熱がリール５２に伝達するよりも前の段階で放熱を行うための部材となっている。この放熱板５３は、モータ５１の出力軸５１ａに対して一体的に固定されており、モータ５１が駆動されて出力軸５１ａが回転すると、出力軸５１ａと一体的に回転するようになっている。放熱板５３は、金属によって形成される。本実施態様の回胴式遊技機用リール装置５０において、金属板５３は、ステンレス鋼によって形成している。
【００２９】
放熱板５３は、その形状を特に限定されず、その側面視形状（図中ｘ軸方向から見た形状）が多角形等の非円形のものとしてもよいが、本実施態様の回胴式遊技機用リール装置５０においては、図３に示すように、その側面視形状が円形の円盤状の部材としている。放熱板５３は、後述するチャック機構５６（放熱板固定機構）を用いてモータ５１の出力軸に対して一体的に固定され、出力軸５１ａと同心に配されている。放熱板５３の縁部には、後述する固定部材５８（図５を参照）における軸部５８ａの先端を挿入して固定するための固定孔５３ｂを複数箇所に設けている。
【００３０】
放熱板５３は、平坦に形成してもよいが、本実施態様の回胴式遊技機用リール装置５０においては、図５に示すように、その表裏面に凹凸５３ａが形成された非平坦な形態としている。このように、凹凸５３ａを形成することにより、放熱板５３の表面積を増大させ、放熱板５３における放熱効果をさらに高めている。この凹凸５３ａは、図３に示すように、モータ５１の出力軸５１ａと同心で環状に形成しており、モータ５０が駆動されて放熱板５３が回転しても、凹凸５３ａの周辺で空気の乱れが生じにくく、凹凸５３ａから大きな騒音が発生しないようにしている。放熱板５３の強度に問題が生じない範囲であれば、放熱板５３に開口をさらに設けてもよい。これにより、放熱板５３を軽量化するだけでなく、その開口の設け方によっては、放熱板５３の表面積をより増大させることも可能になる。
【００３１】
放熱板５３の寸法も、特に限定されないが、既に述べた通り、リール本体部５２ａの断面積（Ｓ１とする。）に対する放熱板５３の面積（Ｓ２とする。）の比Ｓ２／Ｓ１が、０．１〜０．９の範囲となるようにすると好ましく、０．１５〜０．８の範囲となるようにするとより好ましく、０．２〜０．７の範囲となるようにするとさらに好ましい。本実施態様の回胴式遊技機用リール装置５０において、リール本体部５２ａの直径が２００ｍｍで、放熱板５３の直径が１００ｍｍとなっており、比Ｓ２／Ｓ１が０．２５となっている。放熱板５３の厚さは、強度及び重量等を考慮して、通常、０．１〜５ｍｍ、好ましくは、０．３〜３ｍｍ、より好ましくは、０．５〜２ｍｍとされる。
【００３２】
２．３  チャック機構
チャック機構５６は、モータ５１の出力軸５１ａに対して放熱板５３を固定できるものであれば、特に限定されない。本実施態様の回胴式遊技機用リール装置５０においては、図３に示すように、把持部材５６ａと、締付部材５６ｂと、ワッシャー５６ｃと、ナット５６ｄとでチャック機構５６を構成している。
【００３３】
把持部材５６ａは、モータ５１の出力軸５１ａを挿入するための出力軸挿入孔５６ａ１を有する筒状部材で構成されている。把持部材５６ａの先端部（ｘ軸方向正側の端部）の外周面には、ネジ溝が切られており、ナット５６ｄを螺合することができるようになっている。把持部材５６ａの基端部（ｘ軸方向負側の端部）は、ｘ軸方向負側になるにつれて外径が大きくなるように、その外周面をテーパー状に形成されている。把持部材５６ａの基端部の周壁には、縦方向（ｘ軸方向）の複数本のスリット５６ａ２が所定間隔で形成されている。
【００３４】
また、締付部材５６ｂは、把持部材５６ａを挿入するための把持部材挿入孔５６ｂ１を有する筒状部材となっており、その外周部には、放熱板５３における一方の面（モータ５１側を向く面）に押し付けるためのフランジ部５６ｂ２が形成されている。締付部材５６ｂの基端部は、ｘ軸方向負側になるにつれて内径が大きくなるように、その内周面（把持部材挿入孔５６ｂ１）をテーパー状に形成されている。
【００３５】
このため、図５に示すように、締付部材５６ｂのフランジ部５６ｂ２とワッシャー５６ｃとで放熱板５３を挟み込んだ状態で、締付部材５６ｂの把持部材挿入孔５６ｂ１に把持部材５６ａを挿入し、把持部材５６ａの先端部にナット５６ｄを螺合していくと、把持部材５６ａの基端部外周面が把持部材５６ｂの内周面で押圧されることにより、把持部材５６ａの基端部は、その外径が小さくなるように弾性変形して出力軸５１ａの外周面を把持するようになっている。
【００３６】
２．４  リール
リール５２は、モータ５１によって回転駆動される部材となっている。リール５２は、図３に示すように、リール本体部５２ａと、リール支持部５２ｂとで構成されている。リール本体部５２ａは、外周面に複数の図柄が表された円筒体（筒状体）からなっている。具体的には、「赤７」（赤色の「７」の図柄）や、「青７」（青色の「７」の図柄）や、「ＢＡＲ」や、「チェリー」等の図柄がリール本体部５２ａの外周面に表される。図１及び図２におけるリール１３，１４，１５のそれぞれは、このリール本体部５２ａに相当する。リール支持部５２ｂは、リール本体部５２ａをモータ５１の出力軸５１ａに対して同心に支持するための部材となっている。リール５２は、リール本体部５２ａとリール支持部５２ｂとを一体に成形したものであってもよいが、通常、別個に成形されたリール本体部５２ａとリール支持部５２ｂとを組み合わせたものとされる。
【００３７】
リール５２は、その成形材料を特に限定されないが、実質的にその全体を樹脂によって形成すると好ましい。というのも、本発明の回胴式遊技機用リール装置５０は、上述したように、モータ５１の出力軸５１ａとリール５２との間に放熱板５３を介在させたことにより、モータ５１の出力軸５１ａからリール支持部５２ｂに熱が高温な状態で伝わらないようにするものであるところ、樹脂製のリール５２に対して本発明の構成を採用すれば、本発明の構成を採用する意義が高まるからである。ここで、「実質的にその全体を樹脂によって形成」における「実質的に」という語句は、上記の図柄を印刷するシートのみを紙で形成する等、リール５２における限られた一部の範囲のみを樹脂以外の材料で形成する場合を除外しない趣旨で付したものである。
【００３８】
リール支持部５２ｂの具体的な形態は、特に限定されない。本実施態様の回胴式遊技機用リール装置５０において、リール支持部５２ｂは、放熱板５３に固定される放熱板側固定部５２ｂ１と、リール本体部５２ａに固定されるリール本体部側固定部５２ｂ２と、放熱板側固定部５２ｂ１とリール本体部側固定部５２ｂ２とを連結する複数本の連結棒状部５２ｂ３とで構成しているが、リール本体部側固定部５２ｂ２を省略して、連結棒状部５２ｂ３の先端部（外端部）をリール本体部５２ａに対して直接的に固定するようにしてもよい。ただし、リール本体部側固定部５２ｂ２を省略した場合には、リール本体部５２ａに対してリール支持部５２ｂを組み付ける機構が複雑になるし、リール支持部５２ｂの強度的にも不利となるので、リール本体部側固定部５２ｂ２は、省略せずに設けた方が好ましい。リール支持部５２ｂは、別個に成形された放熱板側固定部５２ｂ１とリール本体部側固定部５２ｂ２と複数本の連結棒状部５２ｂ３とを組み合わせたものであってもよいが、通常、放熱板側固定部５２ｂ１とリール本体部側固定部５２ｂ２と複数本の連結棒状部５２ｂ３とを一体的に成形したものとされる。以下、リール支持部５２ｂの各部についてさらに詳しく説明する。
【００３９】
まず、放熱板側固定部５２ｂ１について説明する。放熱板側固定部５２ｂ１は、放熱板５３の縁部に対して局所的に固定される環状の部分となっている。放熱板側固定部５２ｂ１における放熱板５３に対して固定される箇所（放熱板側固定部５２ｂ１を放熱板５３に固定する際に放熱板５３における固定孔５３ｂと重なる箇所）には、その一端側から他端側に向かって貫通孔が設けられた筒状のボス部材５７が一体化されている。ボス部材５７には、貫通孔５７ａが設けられており、この貫通孔５７ａには、固定部材５８（図５を参照）が挿入される。
【００４０】
固定部材５８は、図５に示すように、リール支持部５２ｂにおける放熱板側固定部５２ｂ１を放熱板５３に対して固定するための部材となっている。固定部材５８の具体的な構成は、特に限定されない。本実施態様の回胴式遊技機用リール装置５０においては、図５に示すように、その外周面にネジ溝が切られた軸部５８ａと、軸部５８ａの基端側に一体的に設けられた拡径部５８ｂと、軸部５８ａに螺合可能なナット５８ｃとで構成している。この固定部材５８は、その軸部５８ａをボス部材５７における貫通孔５７ａと放熱板５３における固定穴５３ｂとに挿通し、軸部５８ａの先端部にナット５８ｃを螺合することにより、放熱板５３に対して放熱板側固定部５２ｂ１を固定するものとなっている。
【００４１】
固定部材５８を上記のように固定することによって、放熱板側固定部５２ｂ１に一体化されたボス部材５７を、放熱板５３と拡径部５８ｂとの間で動かないように挟持した状態とすることができる。このため、放熱板側固定部５２ｂ１は、ボス部材５７が設けられた部分のみで、放熱板５３の縁部に対して局所的に固定されるようになっている。換言すると、放熱板側固定部５２ｂ１におけるボス部材５７が設けられた箇所以外では、リール支持部５２ｂと放熱板５３とが接触しないようになっている。したがって、モータ５１から出力軸５１ａ及び放熱板５３を介して放熱板側固定部５２ｂ１に伝わる熱が放熱板側固定部５２ｂ１に及ぼす影響を最小限に抑えることが可能となっている。
【００４２】
本実施態様の回胴式遊技機用リール装置５０において、ボス部材５７は、金属製としており、リール支持部５２ｂを成形（射出成形等）する際にリール支持部５２ｂに対して一体化させている。
【００４３】
放熱板５３に対して放熱板側固定部５２ｂ１を固定する箇所（以下、単に「放熱板５３に対する固定箇所」と呼ぶことがある。）の数（ボス部材５７の数）は、特に限定されず、１箇所であってもよい。しかし、放熱板５３に対して放熱板側固定部５２ｂ１を強固かつぐらつかないように安定して固定するためには、放熱板５３に対する固定箇所を複数箇所とすると好ましい。この場合、放熱板５３に対するそれぞれの固定箇所は、放熱板５３の中心に対して回転対称に配するとより好ましい。これにより、放熱板５３に対して放熱板側固定部５２ｂ１をより安定させることが可能になる。本実施態様の回胴式遊技機用リール装置５０では、図３に示すように、３個のボス部材５７を放熱板５３の中心に対して回転対称となるように配している。
【００４４】
複数のボス部材５７のうち、少なくとも１つのボス部材５７は、放熱板側固定部５２ｂ１におけるいずれかの連結棒状部５２ｂ３と接続する部分近傍（連結棒状部接続領域）に設けると好ましい。本実施態様の回胴式遊技機用リール装置５０においても、１つのボス部材５７（図３において一番上側に描かれたボス部材５７）を連結棒状部接続領域に設けている。
【００４５】
続いて、リール本体部側固定部５２ｂ２について説明する。リール本体部側固定部５２ｂ２は、図３に示すように、リール本体部５２ａと略同じ直径を有する環状の部分となっている。このリール本体部側固定部５２ｂ２は、図４に示すように、リール本体部５２ａの一方の開口端に対して嵌め込むことでリール本体部５２ａに対して一体的に固定される。このため、リール本体部５２ａは、リール支持部５２ｂと一体的に回転するようになっている。リール本体部側固定部５２ｂ２とリール本体部５２ａとは、ネジや接着剤等を用いて固定してもよい。
【００４６】
続いて、連結棒状部５２ｂ３について説明する。複数本の連結棒状部５２ｂ３は、図３に示すように、放熱板側固定部５２ｂ１とリール本体部側固定部５２ｂ２とをそれぞれ連結する部分となっている。連結棒状部５２ｂ３は、屈曲又は湾曲させて形成してもよいが、本実施態様の回胴式遊技機用リール装置５０においては、略直線状を為す５本の連結棒状部５２ｂ３を放射状に配している。隣り合う連結棒状部５２ｂ３の隙間は、放熱用開口部５２ｃとして機能するようになっている。すなわち、モータ５１で発生した熱を、放熱用開口部５２ｃを通じて、リール５２の外部空間へ逃がすことができるようにしている。
【００４７】
連結棒状部５２ｂ３の太さは、連結棒状部５２ｂ３の強度を維持できるのであれば、特に限定されない。しかし、連結棒状部５２ｂ３を太くしすぎると、リール５２の重量が増大してモータ５１として大きな駆動力をもつものを用いる必要が生じる虞があるだけでなく、放熱用開口部５２ｃの面積を広く確保しにくくなり、モータ５１で発生した熱がリール５２の外部空間へ逃げにくくなる虞もある。このため、連結棒状部５２ｂ３の太さは、リール本体部５２ａの断面積（Ｓ１とする。）に対する放熱用開口部５２ｃの面積の和（Ｓ３とする。）の比Ｓ３／Ｓ１を、０．３以上確保できる範囲で設定すると好ましい。比Ｓ３／Ｓ１は、０．５以上であるとより好ましく、０．７以上とするとさらに好ましい。比Ｓ３／Ｓ１の下限は、特に限定されないが、０．１以上とすると好ましい。
【００４８】
２．５  モータ固定部材
モータ固定部材５４は、回胴式遊技機１０（図２を参照）の筺体に対して直接的又は間接的にモータ５１を固定するための部材となっている。本実施態様の回胴式遊技機用リール装置５０において、モータ固定部材５４は、筺体の背面板の内面側に取り付けられたリール支持枠３５ａ（図２を参照）に対してモータ５１を固定するようになっている。
【００４９】
モータ固定部材５４の具体的な形態は、特に限定されない。本実施態様の回胴式遊技機用リール装置５０において、モータ固定部材５４は、図３に示すように、リール本体部５２ａの一対の開口端のうち、リール支持部５２ｂが配される側とは反対側の開口端（他方の開口端）側に配されるモータ支持部５４ａと、モータ支持部５４ａの上端部に設けられた上側固定部５４ｂと、モータ支持部５４ｂの下端部に取り付けられた下側固定部５４ｃとで構成されている。
【００５０】
上側固定部５４ｂは、モータ固定部材５４を、リール支持枠３５ａ（図２を参照）における上枠部に対して固定するための部分となっており、下側固定部５４ｃは、モータ固定部材５４を、リール支持枠３５ａ（図２を参照）における下枠部に対して固定するための部分となっている。また、モータ支持部５４ａは、その中央部に台座部５４ａ１が設けられた板状部材によって形成されており、台座部５４ａ１にモータ５１を固定することができるようになっている。モータ支持部５４ａは、リール本体部５２ａにおける前記他方の開口端を完全には塞がない寸法としている。これにより、モータ５１で発生した熱を、リール本体部５２ａにおけるリール支持部５２ｂが設けられた開口端（一方の開口端）側からだけでなく、リール本体部５２ａにおける前記他方の開放端側からも逃がすことが可能となっている。
【００５１】
リール本体部５２ａの断面積（Ｓ１とする。）に対するモータ支持部５４ａによる閉塞面積（Ｓ４とする。）の比Ｓ４／Ｓ１は、０．９以下とすると好ましく、０．７以下とするとより好ましく、０．５以下とするとさらに好ましい。ここで、「閉塞面積Ｓ４」とは、回動式遊技機用リール装置５０をｘ軸方向から見た際に、モータ支持部５４ａにおけるリール本体部５２ａの前記他方の開口端に重なる部分の面積を意味する。モータ支持部５４ａが開口を有する場合には、当該開口の面積は、閉塞面積Ｓ４から除外される。すなわち、モータ支持部５４ａに開口を設けると、比Ｓ４／Ｓ１をさらに小さくすることができる。比Ｓ４／Ｓ１の下限は、特に限定されないが、モータ支持部５４ａの強度やモータ５１の取付安定性等を考慮すると、通常、０．１以上とされ、好ましくは、０．２以上とされる。
【００５２】
従来の回胴式遊技機用リール装置では、このモータ固定部材５４に相当する部材が金属製となっており、重量が嵩むものとなっているが、本実施態様の回胴式遊技機用リール装置５０において、モータ固定部材５４は、樹脂製（非金属製）となっており、軽量なものとなっている。本実施態様の回胴式遊技機用リール装置５０では、上述したように、モータ５１で発生した熱を、モータ５１の出力軸５１ａに取り付けた放熱板５３から放熱できるようになっていることに加えて、リール５２の内部の空気を外部空間へと送出することができるようになっているため、モータ固定部材５４を非金属製としても、リール５２の内部温度の上昇を抑えることが可能となっている。
【００５３】
２．６  発光ユニット
発光ユニット５５は、図３に示すように、複数のＬＥＤ５５ａ（発光体）を備えたものとなっており、リール窓１０ａ（図１を参照）に停止表示された図柄に対して、リール５２の内側から光を照射するものとなっている。発光ユニット５５は、モータ固定部材５４に固定された状態でリール５２の内側に収容される。この発光ユニット５５においても熱が発生するが、本実施態様の回胴式遊技機用リール装置５０は、上述したように、リール５２の内部の空気を外部空間へと送出することができるようになっているため、リール５２の内部が高温にならないようにすることが可能となっている。
【符号の説明】
【００５４】
１０      回動式遊技機
１０ａ    リール窓
１１      メダル投入口
１２      メダル払出口
１３      左リール（リール）
１４      中リール（リール）
１５      右リール（リール）
１６      液晶ディスプレイ
１７      スピーカー
１８      マックスベットボタン
１９      シングルベットボタン
２０      スタートレバー
２１      左リール用ストップボタン（ストップボタン）
２２      中リール用ストップボタン（ストップボタン）
２３      右リール用ストップボタン（ストップボタン）
２４      チャンスボタン
２５      払戻しボタン
３０      メイン制御基板ユニット
３１      サブ制御基板ユニット
３２      液晶ユニット
３３      電源ユニット
３４      コネクタユニット
３５      リールユニット
３５ａ    リール支持枠
５０      回動式遊技機用リール装置
５１      モータ
５１ａ    出力軸
５２      リール
５２ａ    リール本体部
５２ｂ    リール支持部
５２ｂ１  放熱板側固定部
５２ｂ２  リール本体部側固定部
５２ｂ３  連結棒状部
５２ｃ    放熱用開口部
５３      放熱板
５３ａ    凹凸
５３ｂ    固定孔
５４      モータ固定部材
５４ａ    モータ支持部
５４ａ１  台座部
５４ｂ    上側固定部
５４ｃ    下側固定部
５５      発光ユニット
５５ａ    ＬＥＤ（発光体）
５６      チャック機構（放熱板固定機構）
５６ａ    把持部材
５６ａ１  出力軸挿入孔
５６ａ２  スリット
５６ｂ    締付部材
５６ｂ１  把持部材挿入孔
５６ｂ２  フランジ部
５６ｃ    ワッシャー
５６ｄ    ナット
５７      ボス部材
５７ａ    貫通孔
５８      固定部材
５８ａ    軸部
５８ｂ    拡径部
５８ｃ    ナット
【要約】
【課題】
モータで発生した熱に起因するリールのガタツキ等の不具合を解消することができる回胴式遊技機用リール装置を提供する。
【解決手段】
モータ５１とリール５２とを備えた回胴式遊技機用リール装置５０において、放熱板５３をモータ５１の出力軸５１ａから外方に張り出した状態で一体化し、リール５２におけるリール支持部５２ｂを放熱板５３に対して局所的に固定することにより、モータ５１で発生した熱がモータ５１の出力軸５１ａからリール支持部５２ｂに対して直接的に伝わらないようにした。
【選択図】図５【図１】
0005809764.tif 000002
【図２】
0005809764.tif 000003
【図３】
0005809764.tif 000004
【図４】
0005809764.tif 000005
【図５】
0005809764.tif 000006